(57)【特許請求の範囲】
【請求項１】
プリンタの後下方位置に配置され、巻芯部を備えた記録紙を保持する供給部と、記録紙をプリンタ内部へ案内する給紙口と、記録紙に印字する印字ヘッドと、該印字ヘッドによる印字位置に前記記録紙を送るための紙送り機構と、前記印字ヘッドにより印字された記録紙を巻取る巻取りリールを回動するプリンタ後上方に配置された巻取り機構とを具備したプリンタにおいて、
前記巻取りリール下方であって、且つ、前記供給部に配置される前記記録紙の外周と前記給紙口の間にあるもので、記録紙の進行方向に垂直な突起部を配置したことを特徴とするプリンタ。
【請求項２】
前記給紙口は、紙除去用可動部を備えたプリンタの上部に配置され、前記突起部は、前記供給部に収容される前記記録紙の外周の近くに配置したことを特徴とする請求項１記載のプリンタ。
【請求項３】
前記プリンタは、上部に配置された前記給紙口の下方の近傍から内部へ挿入して取り付けられるスタンプを備えていることを特徴とする請求項１、２記載のプリンタ。
【発明の詳細な説明】
【０００１】
【発明の属する技術分野】
本発明は、キャッシュレジスタ等に組み込まれるプリンタに関するものである。
【０００２】
【従来の技術】
図５から図９は、キャッシュレジスタ等に組み込まれるプリンタの従来例を示したものである。
【０００３】
この種のプリンタ１は、いわゆるドットインパクトプリンタで、図６に示す如く、リボンカセット２が着脱可能なプリンタ本体３と、自動的に記録紙を巻取る巻取りリール１６と、図５に示す如く記録紙を供給する供給フレーム２５とからなる構成である。
【０００４】
プリンタ本体３には、図９に示すように、印字ヘッド５を支持するキャリッジ６を記録紙７，８の幅方向に往復作動させる印字機構９と、印字ヘッド５による印字位置に記録紙７，８を送るための紙送り機構１０と、これらの印字機構９や紙送り機構１０に共通の駆動源である駆動モータ１１とが装備されている。
【０００５】
一方、クラムシェル可動部４は、紙詰まり故障などが生じたときその紙を除去するために設けられたもので、図７および図８に示す如く、プリンタの後方に配置された給紙口１３，１４から印字位置に至る上部紙ガイドと下部紙ガイドで形成される紙経路を露呈させるべくプリンタ本体３の上部後方の位置に回動可能に装備されたものである。
【０００６】
前述の記録紙７は売上や在庫を管理するために店舗側で記録を保存するためのジャーナル紙で、図５に示すようにロール状に巻かれた記録紙７は供給フレーム２５に収められ、一端は解されながら図６に示すように、順次、クラムシェル可動部４の上方を通って、プリンタ本体３の後部に取り付けられている巻取りリール１６に巻取られる。この巻取りリール１６は、紙送り機構１０に連動する巻取りベルト１７によって回転駆動されるようになっている。
【０００７】
また、給紙口１３，１４は、図７に示すように、プリンタの後部に左右に並んで配備されていて、これらの給紙口１３，１４には、ジャーナル紙７およびレシート紙８の送り込み動作を助勢するための繰り出しローラ軸２２が装備されている。
【０００８】
繰り出しローラ軸２２は、ジャーナル紙７およびレシート紙８の紙送りの際に、紙送りの負荷を軽減するように、プリンタの作動中には常時回転し、紙送りによって紙が緊張すると繰り出しローラ軸２２と紙との間に摩擦が発生して、紙を繰り出す機能を具備するものであり、プリンタ本体３の両側のフレームに回転自在に支持されている。
【０００９】
この繰り出しローラ軸２２は、図８にも示しているように、開いたクラムシェル可動部４と干渉しないように、クラムシェル可動部４の回動中心軸２３よりも下がった位置に、配備されている。そして、スタンプセット２０は、繰り出しローラ軸２２によって繰り出される紙の通路２４の直下に位置している。
【００１０】
なお、クラムシェル可動部４について補足説明すると、ジャーナル紙７が通過する上面部には、一般に、図６に示すように、印字された内容を修正するための書き込み台３１が隆起形成されており、この書き込み台３１の下方側にジャーナル紙７の排出口３１ａが設けられている。
【００１１】
【発明が解決しようとする課題】
ところで、前述のプリンタ１は、ジャーナル側の供給フレーム７内の記録紙７が少なくなり軽くなった時に紙送り動作を行うと、紙のこしによりロール状のまま持ち上げらる現象が起きる。このロール状の記録紙７は、引き出される回転方向と巻取りリール１６の回転方向とは逆方向になり、プリンタ背面に配置される供給口１３入口に設けられた繰り出しローラ軸２２と巻取りリール１６に巻き付いたロ−ル紙の間まで持ち上がるとどちらにも回転できなくなりロック状態になって紙送り不良が発生する可能性があるために、巻取りリール１６と繰り出しローラ軸２２の距離を確保する必要がある。本従来例においては、プリンタの外形を大きくしない為に巻取りリール１６の高さに対して繰り出しローラ軸２２の位置をかなり下方の位置に設定されているが、このような背面の低い位置では、各給紙口１３・１４への紙の挿入操作がプリンタ正面から視認することできず、取り扱い性が悪いという問題が指摘されていた。
【００１２】
また、スタンプセット２０の装着もプリンタ正面から視認することができず、取り扱い性が悪いとの指摘もされた。
【００１３】
そこで、本発明の第一の目的は上記課題を解消することにあり、プリンタの給紙口への紙の挿入操作を、プリンタ正面から視認しながら行うことができて、取り扱い性に優れたプリンタを提供することである。また、本発明の第二の目的は、上記課題を解消することにあり、スタンプセットの着脱をプリンタ正面から視認しながら行うことができて、取扱性に優れたプリンタを供給することである。
【００１４】
【課題を解決するための手段】
上記課題を達成するために本発明は、プリンタの後下方位置に配置され、巻芯部を備えた記録紙を保持する供給部と、記録紙をプリンタ内部へ案内する給紙口と、記録紙に印字する印字ヘッドと、印字ヘッドによる印字位置に記録紙を送るための紙送り機構と、印字ヘッドにより印字された記録紙を巻取る巻取りリールを回動するプリンタ後上方に配置された巻取り機構とを具備したプリンタにおいて、巻取りリール下方であって、且つ、供給部に配置される記録紙の外周と給紙口の間にあるもので、記録紙の進行方向に垂直な突起部を配置したことを特徴とする。
【００１５】
上記のように構成すると、巻芯部に記録紙が残ったまま持ち上げられても、巻取りリールの記録紙と接する以前に突起部によって妨害されるので、それ以上に上方へは持ち上がらず、残りの記録紙７はその位置でほぐれる。
【００１６】
また、給紙口は、紙除去用可動部を備えたプリンタの上部に配置され、突起部は、供給部に収容される記録紙の外周の近くに配置したことを特徴とする。
【００１７】
上記のように構成すると、供給部に収容されたばかりの記録紙の外周が突起部と接触して負荷となることは無く、また、巻取リールの記録紙とロックし易い場合は供給部と給紙口の紙経路に対して巻取リールから垂線の交点位置が一番厳しい位置であるが、上記の構成は、最もロックしにく位置となるものであり、更に、巻取リールを近づけて小さくすることも可能である。更には、給紙口の位置を、プリンタ後部の比較的に高い位置に改善することができ、これによって、プリンタ後部の給紙口への記録紙の挿入操作を、プリンタ正面から視認しながら行うことが可能になり、取り扱い性が向上することになる。
【００１８】
更に、プリンタは、上部に配置された給紙口の下方の近傍から内部へ挿入して取り付けられるスタンプを備えていることを特徴とする。
【００１９】
上記の構成にすると、スタンプセットのプリンタへの装着も、プリンタ正面から視認しながら行うことが可能になり、取り扱い性も向上することになる。
【００２０】
【発明の実施の形態】
図１から図４は本発明に係るプリンタの一実施例を示したもので、図１は一実施例のプリンタ３５の側面図、図２は図１のＢ矢視図（平面図）、図３は図２のＣ−Ｃ断面図、図４はプリンタ３５の後部斜視図である。
【００２１】
この一実施例のプリンタ３５は、キャッシュレジスタ等に組み込まれるドットインパクトプリンタで、図１、図２及び図４に示すように、リボンカセット２が着脱可能なプリンタ本体３８と、自動的に記録紙を巻取る巻取りリール１６と、記録紙を供給する供給フレーム２５とからなる構成である。
【００２２】
プリンタ本体３８には、前述の従来の機構と同様に、印字ヘッド５を支持するキャリッジを記録紙７，８の幅方向に往復作動させる図示略の印字機構と、印字ヘッド５による印字位置に記録紙７，８を送るための図示略の紙送り機構と、これらの印字機構や紙送り機構に共通の駆動源である駆動モータ１１とが装備されている。
【００２３】
一方、クラムシェル可動部３９は、プラテン６５、紙送りローラ６６及びこれに圧接する紙押えローラ６７の紙送り機構、オプションで取り付けられるもので紙送り機構の上部に配設されたレシート紙８を切断するオートカッタ機構３６、樹脂で形成された上部紙ガイド６２から構成され、ベースの上部紙ガイドに他の構成要素が装備されている。
【００２４】
上部紙ガイド６２にはプリンタ本体３８のフレームに配置された孔と係合する突起が形成されておりこの突起を孔に係合させてクラムシェル可動部の回動中心軸２３を構成する。また上部紙ガイド６２には、プリンタ本体に回動可能に装備された図示略の爪部と係合する図示略の係止部をも形成されている。上記構成により、上部紙ガイド６２はプリンタ本体３８に回動可能であって、通常は爪部によって定位置に位置され、爪部と係止部の係合を解除することによって回動される。
【００２５】
クラムシェル可動部３９は、図３に示す如く、プリンタ後部の給紙口４０，４１から印字位置に至る上部紙ガイド６２と下部紙ガイド６４で形成される紙経路２４を露呈させるべくプリンタ本体３８の後方上部の位置に回動可能に装備されたものである。図３において、実線で示したクラムシェル可動部３９は閉じた状態を示し、仮想線で示したクラムシェル可動部３９は開いた状態を示している。
【００２６】
供給フレーム２５は、図１に示す如く、プリンタ後下部に配置し、図中点線で示した印字前の記録紙７、８を収め、プリンタへの供給負荷低減の為の回動可能な供給ローラ３７を具備している。
【００２７】
背面フレーム３３は、プリンタ本体３８の補強のために設けられ、記録紙７の進行方向に垂直な突起３３ａが配置されている。
【００２８】
給紙口４０に給紙される記録紙７は売上や在庫を管理するために店舗側で記録を保存するためのジャーナル紙で、印字されたジャーナル紙７は、図１および図２に示すように、順次、クラムシェル可動部３９の上方を通って、プリンタ本体３８の後部に取り付けられている巻取りリール１６に巻取られる。この巻取りリール１６は、プリンタ本体３８内の紙送り機構に連動する巻取りベルト１７によって回転駆動されるようになっている。巻取りリール１６に巻取られる記録紙７は、徐々に径を増し、同時に供給フレーム２５内の記録紙７は減少し、紙のこしが残りの記録紙７の重さに打ち勝つと、残りの記録紙７は紙送り動作により供給口４０に向い持ち上げられる。この時、背面フレーム３３の突起３３ａと、巻取りリール１６に巻取られた記録紙７により妨害されそれ以上に上方へは持ち上がらず、残りの記録紙７はその位置でほぐれる。
【００２９】
本実施例においては、使用される最大径の記録紙７で記述しているが、径が小さい記録紙７を使用した場合には、巻取りリール１６に巻取られた記録紙７と供給口４０の間で小さくなった記録紙７が回動不能に陥ることはない。
【００３０】
また、給紙口４１に給紙される記録紙８は、顧客に渡すレシート紙８で、印字されたレシート紙８は、従来のものと同様に、クラムシェル可動部３９の上面に設けたレシート排出口１８に送り出される。
【００３１】
図４に示すように、このレシート紙８が給紙される給紙口４１の下方には、店舗名等を押印するためのスタンプセット２０が着脱可能に装着される。なお、図３は図２におけるＣ−Ｃ断面図を示すので、スタンプセット２０を見ることはできないが、スタンプセット２０の挿入方向やプリンタ本体内での配置関係が理解し易いように、図２におけるＢ方向から見たスタンプセット２０の位置を２点鎖線を用いて図３中に図示した。
【００３２】
また、給紙口４０，４１は、図２および図３に示すように、クラムシェル可動部３９の後部に左右に並んで配備されていて、これらの給紙口４０，４１には、ジャーナル紙７およびレシート紙８を繰り出すための繰り出しローラ軸２２が装備されている。この繰り出しローラ軸２２は、図３に示すように、クラムシェル可動部３９の回動中心軸２３よりも所定量だけ上昇した位置、即ち、クラムシェル可動部３９の後部の上端寄りの位置に配備されている。
【００３３】
更に詳述すると、繰り出しローラ軸２２は、クラムシェル可動部３９側にローラ軸駆動ギヤ５９が配置されており、給紙口４０，４１を形成する上部紙ガイド６２の一部６３等に回動可能に取り付けられている。本実施例では上部紙ガイドが弾性変形して着脱できるようにしている。又、ローラ軸駆動ギヤ５９と噛合し繰り出しローラ軸２２を回転させる伝達ギヤ６０が、プリンタ本体３８側であって、クラムシェル可動部３９の回動中心軸２３上に装備されている。この構成により、繰り出しローラ軸２２は、プリンタ本体３８側に装備された駆動モータ１１ａの回転力が伝達ギヤ６０を介してローラ軸駆動ギヤ５９に伝達されることによって、回転駆動されるようになっており、クラムシェル可動部３９側のローラ軸駆動ギヤ５９とプリンタ本体３８側の伝達ギヤ６０とは、クラムシェル可動部３９が開いたときでも、その噛み合い状態が外れることがないように配設されている。
【００３４】
この伝達ギヤ６０は、クラムシェル可動部３９の回動中心軸そのものの軸上出合っても良いし、回動中心軸の延長線上にある他の部品であってもよいものであり、更には、クラムシェル可動部３９が開かれる場合、ローラ軸駆動ギヤ５９の中心軸と伝達ギヤ６０の中心軸との距離が、両ギアの噛み合いが外れない範囲で、大きくなるように構成することも可能である。
【００３５】
そして、スタンプセット２０は、繰り出しローラ軸２２によって送り出される紙経路２４の直下に位置している。
【００３６】
次に、上部紙ガイド６２について詳述すると、図３に示すように、プリンタ後部の給紙口４０，４１付近に位置する上部紙ガイド６２の一部６３は、記録紙の下方向を規制する下部紙ガイドの機能をしているものであり、このように構成することにより、クラムシェル可動部が回動中心軸２３を中心に回動する場合、上部紙ガイド６２の給紙口形成部６８はその軌跡上にある下部紙ガイドも回動するので下部紙案内と係合することがなく、クラムシェル可動部３９の回動操作の邪魔とならないことから、クラムシェル可動部３９は所望の角度回動できるものである。
【００３７】
以上のプリンタ３５では、プリンタ後部の給紙口がクラムシェル可動部の後部に設定され、かつ、給紙口に差し込まれた記録紙を印字ヘッド側に繰り出す繰り出しローラ軸が、クラムシェル可動部の回動中心軸よりも上方位置に装備された構成により、給紙口の位置を、プリンタ後部の比較的に高い位置に改善することができ、これによって、プリンタ後部の給紙口への紙の挿入操作を、プリンタ正面から視認しながら行うことが可能になり、取り扱い性が向上することになる。
【００３８】
また、スタンプセット２０のプリンタ３５への装着も、プリンタ正面から視認しながら行うことが可能になり、取り扱い性も向上することになる。
【００３９】
さらに、繰り出しローラ軸２２の位置が、上方に改善されたことによって、繰り出しローラ軸２２への紙の巻き付き範囲が増大し、繰り出しローラ軸２２に伝達された回転トルクを、より少ないロスで各記録紙７，８に伝達可能になる。
【００４０】
【発明の効果】
以上のように本発明によれば、プリンタの後下方位置に配置され、巻芯部を備えた記録紙を保持する供給部と、記録紙をプリンタ内部へ案内する給紙口と、記録紙に印字する印字ヘッドと、印字ヘッドによる印字位置に記録紙を送るための紙送り機構と、印字ヘッドにより印字された記録紙を巻取る巻取りリールを回動するプリンタ後上方に配置された巻取り機構とを具備したプリンタにおいて、巻取りリール下方であって、且つ、供給部に配置される記録紙の外周と給紙口の間に記録紙の経路をプリンタの後方へ変化させる経路障害部を配置したことを特徴とする。
【００４１】
上記のように構成すると、巻芯部に記録紙が残ったまま持ち上げられても、巻取りリールの記録紙と接する以前に経路障害部によって妨害されるので、それ以上に上方へは持ち上がらず、残りの記録紙７はその位置でほぐれる。
【００４２】
また、給紙口は、プリンタの上部に配置され、経路障害部は、供給部に収容される記録紙の外周の近くに配置したことを特徴とする。
【００４３】
上記のように構成すると、供給部に収容されたばかりの記録紙の外周が経路障害部と接触して負荷となることは無く、また、巻取リールの記録紙とロックし易い場合は供給部と給紙口の紙経路に対して巻取リールから垂線の交点位置が一番厳しい位置であるが、上記の構成は、最もロックしにく位置となるものであり、更に、巻取リールを近づけるて小さくすることも可能である。更には、給紙口の位置を、プリンタ後部の比較的に高い位置に改善することができ、これによって、プリンタ後部の給紙口への記録紙の挿入操作を、プリンタ正面から視認しながら行うことが可能になり、取り扱い性が向上することになる。
【００４４】
更に、プリンタは、給紙口の近傍から内部へ取り付けられるスタンプを備えていることを特徴とする。
【００４５】
上記の構成にすると、スタンプセットのプリンタへの装着も、プリンタ正面から視認しながら行うことが可能になり、取り扱い性も向上することになる。
【図面の簡単な説明】
【図１】本発明に係るプリンタの一実施例の側面図。
【図２】本発明に係るプリンタの一実施例の平面図。
【図３】図１のＣ−Ｃ断面図。
【図４】本発明の一実施例の後部側から見たの斜視図。
【図５】従来のキャッシュレジスタ用プリンタの側面図。
【図６】図５のキャッシュレジスタ用プリンタの外観を示す斜視図。
【図７】図５のキャッシュレジスタ用プリンタの後部側から見た斜視図。
【図８】図５に示したクラムシェル可動部の回動動作を示す要部側面図。
【図９】図５のキャッシュレジスタ用プリンタの主要な機構の分解斜視図。
【符号の説明】
５  印字ヘッド
７，８  記録紙
１６  巻取りリール
１７  巻取りベルト
２０  スタンプセット
２２  繰り出しローラ軸
２４  通路
２５  供給フレーム
３３  背面フレーム
３７  供給ローラ
３８  プリンタ本体
３９  クラムシェル可動部
４０，４１  給紙口
４３  カバー
４４  書き込み台
６２  上部紙ガイド
６４  下部紙ガイド
【図１】
0003651103.tif 000002
【図２】
0003651103.tif 000003
【図３】
0003651103.tif 000004
【図４】
0003651103.tif 000005
【図５】
0003651103.tif 000006
【図６】
0003651103.tif 000007
【図７】
0003651103.tif 000008
【図８】
0003651103.tif 000009
【図９】
0003651103.tif 000010